(57)【特許請求の範囲】
【請求項１】
複数の画素群を含む表示画面によって画像を表示する表示装置において、
前記複数の画素群に表示させるための各データを順次出力する第１出力部と、
前記複数の画素群に含まれる特定の一つの画素群（「特定の画素群」と称する。）に表示させるためのデータが前記第１出力部から出力されるタイミングにおいて第１の値を出力し、前記複数の画素群のうちの前記特定の画素群と異なる画素群に表示させるためのデータが前記第１出力部から出力されるタイミングにおいて前記第１の値と異なる第２の値を出力する第２出力部と、
前記第２出力部から出力された値を書き込み可能なレジスタと、
前記複数の画素群のうちの前記第１出力部から出力されるデータの書き込み先の画素群を順次切り替え、前記複数の画素群のうちの前記特定の画素群を前記書き込み先とする場合に前記第２出力部から出力された値が前記レジスタに書き込まれる状態とし、前記複数の画素群のうちの前記特定の画素群と異なる画素群を前記書き込み先とする場合に前記第２出力部から出力された値が前記レジスタに書き込まれない状態とする切替部と、
前記レジスタに書き込まれた値に基づいて、前記複数の画素群のうちの前記第１出力部から出力されたデータを書き込むべき画素群と、前記複数の画素群のうちの前記第１出力部から出力されたデータが書き込まれる画素群と、の間のずれを検出する検出部と、
を備えることを特徴とする表示装置。
【請求項２】
前記検出部による検出結果に基づいて、前記切替部が前記書き込み先を切り替えるタイミングと、前記第１出力部がデータを出力するタイミングと、の少なくともいずれかを制御する制御部を備えることを特徴とする請求項１に記載の表示装置。
【請求項３】
前記レジスタは、それぞれ前記複数の画素群のうちの異なる画素群に対応する複数のレジスタを含み、
前記切替部は、前記複数のレジスタのうちの前記書き込み先の画素群に対応するレジスタに前記第２出力部から出力された値が書き込まれ、前記複数のレジスタのうちの前記対応するレジスタと異なるレジスタについて前記第２出力部から出力された値が書き込まれない状態とし、
前記検出部は、前記複数のレジスタに書き込まれた値に基づいて、前記ずれの量および前記ずれの方向の少なくともいずれかを検出する、
ことを特徴とする請求項１または２に記載の表示装置。
【請求項４】
前記画素群は、前記表示画面のカラムであり、
前記第１出力部は、前記表示画面に含まれる複数の表示セルに表示させるための各データを順次出力し、
前記第２出力部は、前記複数の表示セルのうち特定のカラムかつ特定のロウに対応する表示セルに表示させるためのデータが前記第１出力部から出力されるタイミングにおいて前記第１の値を出力し、前記複数の表示セルのうち前記特定の表示セルと異なる表示セルに表示させるためのデータが前記第１出力部から出力されるタイミングにおいて前記第２の値を出力し、
前記レジスタ（「第１レジスタ」と称する。）と同じまたは異なる第２レジスタと、
前記表示画面に含まれる複数のロウのうちの前記第１出力部から出力されるデータの書き込み先のロウを順次切り替え、前記複数のロウのうちの前記特定のロウを前記書き込み先とする場合に前記第２出力部から出力された値が前記第２レジスタに書き込まれる状態とし、前記複数のロウのうちの前記特定のロウと異なるロウを前記書き込み先とする場合に前記第２出力部から出力された値が前記第２レジスタに書き込まれない状態とするロウ切替部と、
前記第２レジスタに書き込まれた値に基づいて、前記複数のロウのうちの前記第１出力部から出力されたデータを書き込むべきロウと、前記複数のロウのうちの前記第１出力部から出力されたデータが書き込まれるロウと、の間のずれを検出するロウ検出部と、
を備えることを特徴とする請求項１〜３のいずれか一つに記載の表示装置。
【発明の詳細な説明】
【技術分野】
【０００１】
本発明は、画像を表示する表示装置に関する。
【背景技術】
【０００２】
従来、陰極線管用の映像信号と共に入力されてくる同期信号に基づき映像を表示する液晶表示装置であって、映像データ信号と水平・垂直同期信号との相対位置のずれを検出し、検出したずれに基づき映像表示期間の水平・垂直開始位置までのドットクロック数または水平期間数のカウント値を変更することにより自動的に表示位置を正規の位置に調整する液晶表示装置が知られている（たとえば、下記特許文献１参照。）。
【先行技術文献】
【特許文献】
【０００３】
【特許文献１】特開平７−４４１２５号公報
【発明の概要】
【発明が解決しようとする課題】
【０００４】
しかしながら、上述した従来技術では、書き込み対象のデータの出力タイミングと、書き込み先の切り替えタイミングと、のずれによって生じるカラムずれなどの表示ずれを検出するための回路が大規模になるという問題がある。
【０００５】
本発明は、上述した従来技術による問題点を解消するため、回路規模の増加を抑えつつ表示ずれを検出することができる表示装置を提供することを目的とする。
【課題を解決するための手段】
【０００６】
上述した課題を解決し、目的を達成するため、本発明にかかる表示装置は、複数の画素群を含む表示画面によって画像を表示する表示装置において、前記複数の画素群に表示させるための各データを順次出力する第１出力部と、前記複数の画素群に含まれる特定の画素群に表示させるためのデータが前記第１出力部から出力されるタイミングにおいて第１の値を出力し、前記複数の画素群のうちの前記特定の画素群と異なる画素群に表示させるためのデータが前記第１出力部から出力されるタイミングにおいて前記第１の値と異なる第２の値を出力する第２出力部と、前記第２出力部から出力された値を書き込み可能なレジスタと、前記複数の画素群のうちの前記第１出力部から出力されるデータの書き込み先の画素群を順次切り替え、前記複数の画素群のうちの前記特定の画素群を前記書き込み先とする場合に前記第２出力部から出力された値が前記レジスタに書き込まれる状態とし、前記複数の画素群のうちの前記特定の画素群と異なる画素群を前記書き込み先とする場合に前記第２出力部から出力された値が前記レジスタに書き込まれない状態とする切替部と、前記レジスタに書き込まれた値に基づいて、前記複数の画素群のうちの前記第１出力部から出力されたデータを書き込むべき画素群と、前記複数の画素群のうちの前記第１出力部から出力されたデータが書き込まれる画素群と、の間のずれを検出する検出部と、を備える。
【０００７】
これにより、カラム（画素群）ずれなどの表示ずれの発生状態に応じて、レジスタに書き込まれる値が変化する。
【発明の効果】
【０００８】
本発明の一側面によれば、回路規模の増加を抑えつつ表示ずれを検出することができるという効果を奏する。
【図面の簡単な説明】
【０００９】
【図１】図１は、実施の形態１にかかる表示装置の一例を示す図である。
【図２】図２は、実施の形態１にかかる表示装置の表示画面の一例を示す図である。
【図３】図３は、実施の形態１にかかる表示装置を適用可能な記録装置の一例を示す図である。
【図４】図４は、実施の形態２にかかる表示装置の一例を示す図である。
【図５】図５は、実施の形態３にかかる表示装置の一例を示す図である。
【図６】図６は、実施の形態４にかかる表示装置の一例を示す図である。
【図７】図７は、実施の形態５にかかる表示装置による画面表示の一例を示す図である。
【図８】図８は、実施の形態５にかかる表示装置による画面表示の他の例を示す図である。
【発明を実施するための形態】
【００１０】
以下に図面を参照して、本発明にかかる表示装置の実施の形態を詳細に説明する。
【００１１】
（実施の形態１）
（実施の形態１にかかる表示装置）
図１は、実施の形態１にかかる表示装置の一例を示す図である。図１に示すように、実施の形態１にかかる表示装置１００は、第１出力部１１０と、第２出力部１２０と、レジスタ１３１〜１３４，…と、カラムドライバ１４１〜１４４，…と、冗長レジスタ１５１と、カラム制御回路１６０と、確認用Ｉ／Ｏ１７０と、図示しない表示画面と、を備える。表示装置１００の表示画面については後述するが（たとえば図２参照）、表示装置１００の表示画面におけるカラム（列）およびロウ（行）の組み合わせによって特定される各表示セルは、それぞれＮ個の画素（Ｎ画素とする）を含む。Ｎは１以上の自然数である。
【００１２】
第１出力部１１０は、表示装置１００における表示画面（たとえば図２参照）に含まれる複数のカラム（複数の画素群）に表示させるための各データを順次出力する。なお、複数のカラム（複数の画素群）は、表示画面の全カラムのうちの一部のカラムであってもよい。第１出力部１１０から出力されたデータは分岐されてレジスタ１３１〜１３４，…のそれぞれへ入力される。すなわち、レジスタ１３１〜１３４，…のそれぞれには、第１出力部１１０から出力される同一のデータが順次入力される。
【００１３】
たとえば、第１出力部１１０は、表示装置１００における動作クロックごとに、第１カラムのデータ、第２カラムのデータ、第３カラムのデータ、第４カラムのデータ、…、第１カラムのデータ、…のように各データを順次、レジスタ１３１〜１３４，…のそれぞれへ出力する。
【００１４】
具体的には、第１出力部１１０は、データバスＩ／Ｏ１１１と、レジスタ１１２，１１３と、データ処理回路１１４と、を含む。データバスＩ／Ｏ１１１には、たとえば上述した複数のカラムに表示させるための各データ（それぞれＮビット）が入力される。データバスＩ／Ｏ１１１は、入力された各データをレジスタ１１２へ順次出力する。
【００１５】
レジスタ１１２は、データバスＩ／Ｏ１１１から出力されたデータを格納し、格納したデータをレジスタ１１３へ出力するＮビットのレジスタである。レジスタ１１３は、レジスタ１１２から出力されたデータを格納し、格納したデータをデータ処理回路１１４へ出力するＮビットのレジスタである。
【００１６】
データ処理回路１１４は、レジスタ１１３から出力されたデータに対する処理（一例としては判定処理）を行う。そして、データ処理回路１１４は、処理を行ったデータを分岐して、分岐した各データをレジスタ１３１〜１３４，…のそれぞれへ出力する。
【００１７】
このように、第１出力部１１０においては、パイプライン化された各回路（レジスタ１１２，１１３およびデータ処理回路１１４）によって、表示装置１００の動作クロックに基づくタイミングでデータが伝送される。このため、設計の誤り等の各種の要因により、第１出力部１１０からデータが出力されるタイミングに誤差が生じ得る。なお、第１出力部１１０における各回路（データバスＩ／Ｏ１１１、レジスタ１１２，１１３およびデータ処理回路１１４）については、順序を入れ替えてもよいし、一部の回路を省いてもよいし、回路を追加してもよい。
【００１８】
第２出力部１２０は、第１出力部１１０からレジスタ１３１〜１３４へ特定のカラムに表示させるためのデータが出力されるタイミングにおいて、第１の値を冗長レジスタ１５１へ出力する。ここでは特定のカラムを第１カラムとする。また、第２出力部１２０は、第１出力部１１０からレジスタ１３１〜１３４へ特定のカラム（第１カラム）と異なるカラム（第２カラム、第３カラム、…）に表示させるためのデータが出力されるタイミングにおいて、第２の値を冗長レジスタ１５１へ出力する。第２の値は第１の値と異なる値である。ここでは、第１の値を“１”とし、第２の値を“０”とする。
【００１９】
具体的には、第２出力部１２０は、確認ビット生成部１２１と、レジスタ１２２，１２３と、を備える。確認ビット生成部１２１は、データバスＩ／Ｏ１１１によるデータの出力と同期して、上述した第１の値または第２の値（１ビット）を生成してレジスタ１２２へ出力する。レジスタ１２２は、確認ビット生成部１２１から出力された値を格納し、格納したデータをレジスタ１２３へ出力する１ビットのレジスタである。レジスタ１２３は、レジスタ１２２から出力された値を格納し、格納したデータを冗長レジスタ１５１へ出力する１ビットのレジスタである。
【００２０】
このように、第２出力部１２０においては、第１出力部１１０と同様にパイプライン化された各回路（確認ビット生成部１２１およびレジスタ１２２，１２３）によってデータが伝送される。そして、レジスタ１２３から冗長レジスタ１５１へ“１”が出力されるタイミングと、第１カラムに書き込むべきデータがデータ処理回路１１４からレジスタ１３１〜１３４，…へ出力されるタイミングと、が一致するように調整される。
【００２１】
レジスタ１３１〜１３４，…は、それぞれ表示画面の第１カラム、第２カラム、第３カラム、第４カラム、…に対応するレジスタである。レジスタ１３１〜１３４，…に書き込まれた各データは、表示画面の各カラムのうちの対応するカラムの画素に表示される。たとえば、レジスタ１３１に書き込まれたデータは、表示画面の第１カラムの各画素のうちの、図示しないロウ制御回路によって指定される表示画面のロウ（行）の画素に表示される。また、レジスタ１３２に書き込まれたデータは、表示画面の第２カラムの各画素のうちの、図示しないロウ制御回路によって指定される表示画面のロウの画素に表示される。
【００２２】
たとえば、データ処理回路１１４から出力されたデータは、レジスタ１３１〜１３４，…のうちの、カラム制御回路１６０によって書き込み可能な状態に設定された１個のレジスタに書き込まれる。一方、データ処理回路１１４から出力されたデータは、レジスタ１３１〜１３４，…のうちの、カラム制御回路１６０によって書き込み不可な状態に設定された各レジスタには書き込まれない。
【００２３】
カラムドライバ１４１〜１４４，…は、それぞれ表示画面の第１カラム、第２カラム、第３カラム、第４カラム、…に対応するドライバである。カラムドライバ１４１〜１４４，…は、それぞれレジスタ１３１〜１３４，…に書き込まれたデータを、それぞれ表示画面の第１カラム、第２カラム、第３カラム、第４カラム、…の各画素のうちの、図示しないロウ制御回路によって指定される表示画面の行の画素に表示させる。たとえば、カラムドライバ１４１は、レジスタ１３１に書き込まれたデータを表示画面の第１カラムの画素に表示させる。また、カラムドライバ１４２は、レジスタ１３２に書き込まれたデータを表示画面の第２カラムの画素に表示させる。
【００２４】
冗長レジスタ１５１は、レジスタ１３１〜１３４，…と異なる１ビットのレジスタである。たとえば、カラム制御回路１６０によって冗長レジスタ１５１が書き込み可能な状態に設定されると、第２出力部１２０から出力されたデータが冗長レジスタ１５１に書き込まれる。また、カラム制御回路１６０によって冗長レジスタ１５１が書き込み不可な状態に設定されると、第２出力部１２０から出力されたデータが冗長レジスタ１５１に書き込まれない。なお、冗長レジスタ１５１にはたとえば初期値として“１”が書き込まれる。
【００２５】
カラム制御回路１６０は、表示画面の各カラムのうちの第１出力部１１０から出力されるデータの書き込み先のカラムを順次切り替える切替部である。具体的には、カラム制御回路１６０は、レジスタ１３１〜１３４，…のうちの第１出力部１１０から出力されるデータの書き込み先のレジスタを順次切り替える。
【００２６】
また、カラム制御回路１６０は、レジスタ１３１〜１３４，…のうちの第１カラムに対応するレジスタ１３１を書き込み可能な状態とする場合に冗長レジスタ１５１を書き込み可能な状態とする。これにより、第１出力部１１０からのデータの書き込み先を第１カラムとする場合に第２出力部１２０から出力された値が冗長レジスタ１５１に書き込まれる状態とすることができる。
【００２７】
また、カラム制御回路１６０は、レジスタ１３１〜１３４，…のうちの第１カラムと異なる第２カラム、第３カラム、…に対応するレジスタ１３２，１３３，…のいずれかを書き込み可能な状態とする場合に冗長レジスタ１５１を書き込み不可な状態とする。これにより、第１出力部１１０からのデータの書き込み先を第２カラム、第３カラム、…のいずれかとする場合に第２出力部１２０から出力された値が冗長レジスタ１５１に書き込まれない状態とすることができる。
【００２８】
カラム制御回路１６０の動作例について説明する。たとえば、カラム制御回路１６０は、第１出力部１１０からのデータの書き込み先を第１カラムとするタイミングにおいては、冗長レジスタ１５１およびレジスタ１３１を書き込み可能な状態にし、レジスタ１３２〜１３４，…を書き込み不可な状態にする。また、カラム制御回路１６０は、第１出力部１１０からのデータの書き込み先を第２カラムとするタイミングにおいては、レジスタ１３２を書き込み可能な状態にし、冗長レジスタ１５１およびレジスタ１３１，１３３，１３４，…を書き込み不可な状態にする。
【００２９】
また、カラム制御回路１６０は、第１出力部１１０からのデータの書き込み先を第３カラムとするタイミングにおいては、レジスタ１３３を書き込み可能な状態にし、冗長レジスタ１５１およびレジスタ１３１，１３２，１３４，…を書き込み不可な状態にする。また、カラム制御回路１６０は、第１出力部１１０からのデータの書き込み先を第４カラムとするタイミングにおいては、レジスタ１３４を書き込み可能な状態にし、冗長レジスタ１５１およびレジスタ１３１〜１３３，１３５，…を書き込み不可な状態にする。
【００３０】
カラム制御回路１６０の上記の動作により、カラムずれの発生の有無に応じて、冗長レジスタ１５１に書き込まれた値が異なるようにすることができる。具体的には、カラムずれが発生していない場合は冗長レジスタ１５１に書き込まれた値は“１”になり、カラムずれが発生している場合は冗長レジスタ１５１に書き込まれた値は“０”になる。
【００３１】
カラムずれは、表示画面の各カラムのうちの第１出力部１１０から出力されたデータを書き込むべきカラムと、表示画面の各カラムのうちの第１出力部１１０から出力されたデータが実際に書き込まれるカラムと、のずれである。このカラムずれは、第１出力部１１０からレジスタ１３１〜１３４，…へのデータの出力のタイミングと、カラム制御回路１６０による書き込み先のカラムの切り替えのタイミングと、のずれによって生じる。このようなずれは、たとえば、パイプライン化された第１出力部１１０の内部におけるデータ転送のタイミングの論理的な誤りなど各種の要因によって生じる。
【００３２】
なお、第１出力部１１０からレジスタ１３１〜１３４，…へのデータの出力のタイミングと、第２出力部１２０から冗長レジスタ１５１への値の出力のタイミングと、の間には大きなずれ（たとえば動作クロックの１周期以上のずれ）はないものとする。
【００３３】
確認用Ｉ／Ｏ１７０は、冗長レジスタ１５１に書き込まれた値に基づいてカラムずれを検出する検出部である。確認用Ｉ／Ｏ１７０は、カラムずれの検出結果を出力する。たとえば、確認用Ｉ／Ｏ１７０は、冗長レジスタ１５１に書き込まれた値が“１”になると、表示装置１００の設計開発者、使用者または管理者等にカラムずれの発生を検出したことを通知する。一例としては、確認用Ｉ／Ｏ１７０は、冗長レジスタ１５１に書き込まれた値を出力する。
【００３４】
特定のカラムを第１カラムとする場合について説明したが、特定のカラムを第２以降のカラムとしてもよい。また、第１の値を“１”として第２の値を“０”とする場合について説明したが、第１の値と第２の値を入れ替えてもよいし、第１の値と第２の値を“１”、“０”と異なる値としてもよい。
【００３５】
図１に示した表示装置１００によれば、簡単な回路（たとえば第２出力部１２０、冗長レジスタ１５１および確認用Ｉ／Ｏ１７０）および制御（たとえばカラム制御回路１６０による制御）の追加によってカラムずれを検出することができる。すなわち、回路規模の増加を抑えつつ表示ずれ（カラムずれ）を検出することができる。
【００３６】
また、たとえばホログラフィックメモリなどの記録装置に用いられる表示装置においては、人間の目では把握できないほどの速度で表示画面への書き込みが行われたり、人間には意味が把握できないデジタルデータが表示画面に書き込まれたりするが、表示装置１００を用いることで表示ずれ（カラムずれ）を検出することが容易になる。
【００３７】
また、レジスタ１３１〜１３４，…と異なる冗長レジスタ１５１を用いることで、表示画面の表示に影響を与えずに表示ずれ（カラムずれ）を検出することができる。また、冗長レジスタ１５１に対する値（“１”）の書き込みは、各カラムのうちの特定のカラムに対するデータの書き込みと同時に行われるため、書き込み先のカラムの切り替えに影響を与えずに表示ずれ（カラムずれ）を検出することができる。
【００３８】
（実施の形態１にかかる表示装置の表示画面）
図２は、実施の形態１にかかる表示装置の表示画面の一例を示す図である。実施の形態１にかかる表示装置１００は、たとえば図２に示す表示画面２００を備える。表示画面２００は、複数の表示セルがマトリクス状に配置されたＬＣＯＳ（Ｌｉｑｕｉｄ  Ｃｒｙｓｔａｌ  Ｏｎ  Ｓｉｌｉｃｏｎ）などの表示デバイスである。図２に示す例では、表示画面２００は、ロウ２１１〜２１５およびカラム２２１〜２２６からなる５×６のマトリクス状の表示画面である。また、表示画面２００の各表示セルはそれぞれＮ個の画素を含む（Ｎ画素）。すなわち、表示画面２００は、５×６×Ｎ画素の表示画面である。
【００３９】
表示画面２００においては、一行ずつ、同時にＮ画素ずつ走査しながら書き込みが行われる。たとえば、最初にロウ２１１およびカラム２２１に対応する表示セルのＮ画素に対する書き込みが行われ、次にロウ２１１およびカラム２２２に対応する表示セルのＮ画素に対する書き込みが行われる。このように、ロウ２１１の各表示セルに対してカラムを順次切り替えながら書き込みを行い、ロウ２１１の各表示セルに対する書き込みが終わると、次にロウ２１２の各表示セルに対する書き込みが行われる。図１に示したカラム制御回路１６０は、これらの制御のうちの書き込み先のカラムの切り替えを行う。
【００４０】
ただし、実施の形態１にかかる表示装置１００の表示画面は、図２に示した表示画面２００に限らず、たとえば、表示画面２００より多い表示セルを有する表示画面や、表示画面２００より少ない表示セルを有する表示画面であってもよい。また、実施の形態１にかかる表示装置１００の表示画面は、ロウが１つでカラムが複数（たとえば１×６）の表示画面であってもよい。
【００４１】
（実施の形態１にかかる表示装置を適用可能な記録装置）
図３は、実施の形態１にかかる表示装置を適用可能な記録装置の一例を示す図である。実施の形態１にかかる記録装置３００は、光源３０１と、コリメートレンズ３０２と、偏光可変素子３０３と、ＰＢＳプリズム３０４と、ビームエキスパンダ３０６と、位相マスク３０７と、リレーレンズ３０８と、ＰＢＳプリズム３０９と、ＬＣＯＳ３１０と、リレーレンズ３１１と、空間フィルタ３１２と、対物レンズ３１３と、ミラー３１４と、ミラー３１５と、ガルバノミラー３１６と、スキャナレンズ３１７と、光情報記録媒体３１８と、１／４波長板３１９と、ガルバノミラー３２０と、撮像素子３２１と、制御部３２２と、を備える。
【００４２】
記録装置３００は、ＬＣＯＳ３１０により空間的に変調した信号光を光情報記録媒体３１８に照射することで光情報記録媒体３１８に情報を記録する。また、記録装置３００は、光情報記録媒体３１８に参照光を照射することで得られる再生光を撮像素子３２１によって電気信号に変換することで情報を読み出す。
【００４３】
光源３０１は、光ビームをコリメートレンズ３０２へ出射する。光源３０１から出射される光ビームは、たとえば所定の直線偏光の連続光とすることができる。光源３０１には、たとえばＬＤ（Ｌａｓｅｒ  Ｄｉｏｄｅ：レーザダイオード）を用いることができる。コリメートレンズ３０２は、光源３０１から出射された光ビームを所定のビーム径の光ビームにコリメートし、コリメートした光ビームを偏光可変素子３０３へ出射する。
【００４４】
偏光可変素子３０３は、制御部３２２から供給される駆動波形に応じて、コリメートレンズ３０２から出射される光ビームの偏光状態を調整する。たとえば、偏光可変素子３０３は、光情報記録媒体３１８への情報の記録時には、光ビームの偏光状態を、Ｐ偏光およびＳ偏光を含む偏光状態とする。
【００４５】
また、偏光可変素子３０３は、光情報記録媒体３１８からの情報の再生時には、光ビームの偏光状態をＳ偏光とする。偏光可変素子３０３は、偏光状態を調整した光ビームをＰＢＳプリズム３０４へ出射する。偏光可変素子３０３には、たとえばＦＬＣ（Ｆｅｒｒｏｅｌｅｃｔｒｉｃ  Ｌｉｑｕｉｄ  Ｃｒｙｓｔａｌ：強誘電性液晶）やＡＦＬＣ（Ａｎｔｉ  Ｆｅｒｒｏｅｌｅｃｔｒｉｃ  Ｌｉｑｕｉｄ  Ｃｒｙｓｔａｌ：反強誘電性液晶）、ＴＮ（Ｔｗｉｓｔｅｄ  Ｎｅｍａｔｉｃ）液晶などを用いることができる。
【００４６】
ＰＢＳプリズム３０４は、偏光可変素子３０３から出射されたＰ偏光の光ビームを透過させて、信号光としてビームエキスパンダ３０６へ出射するＰＢＳ（Ｐｏｌａｒｉｚａｔｉｏｎ  Ｂｅａｍ  Ｓｐｌｉｔｔｅｒｓ：偏光ビームスプリッタ）である。また、ＰＢＳプリズム３０４は、偏光可変素子３０３から出射されたＳ偏光の光ビームを反射させて、参照光としてミラー３１４へ出射する。これにより、光情報記録媒体３１８への情報の記録時には、Ｐ偏光の信号光がビームエキスパンダ３０６へ出射され、Ｓ偏光の参照光がミラー３１４へ出射される。また、光情報記録媒体３１８からの情報の再生時には、Ｓ偏光の参照光がミラー３１４へ出射される。
【００４７】
ビームエキスパンダ３０６は、ＰＢＳプリズム３０４から出射された信号光のビーム経を所定のビーム経に拡張し、ビーム経を拡張した信号光を位相マスク３０７へ出射する。ビームエキスパンダ３０６から位相マスク３０７へ出射された信号光は、位相マスク３０７およびリレーレンズ３０８を介してＰＢＳプリズム３０９へ出射される。
【００４８】
ＰＢＳプリズム３０９は、リレーレンズ３０８から出射されたＰ偏光の信号光を透過させてＬＣＯＳ３１０へ出射する。また、ＰＢＳプリズム３０９は、ＬＣＯＳ３１０から出射された信号光を反射させてリレーレンズ３１１へ出射する。ＰＢＳプリズム３０９からリレーレンズ３１１へ出射された信号光は、リレーレンズ３１１、空間フィルタ３１２の開口部および対物レンズ３１３を介して光情報記録媒体３１８へ出射される。
【００４９】
ＬＣＯＳ３１０は、ＰＢＳプリズム３０９から出射された信号光を変調情報に基づいて空間的に変調する。たとえば、ＬＣＯＳ３１０は、制御部３２２から出力された２次元画像データ（変調情報）を示す駆動波形に基づく変調を行う。そして、ＬＣＯＳ３１０は、変調した信号光をＰＢＳプリズム３０９へ出射する。ＬＣＯＳ３１０には、たとえばＦＬＣやＡＦＬＣを用いることができる。
【００５０】
ＰＢＳプリズム３０４からミラー３１４へ出射された参照光は、ミラー３１４，３１５を介してガルバノミラー３１６へ出射される。ガルバノミラー３１６は、ミラー３１５から出射された参照光を可変の角度で反射させてスキャナレンズ３１７へ出射する。ガルバノミラー３１６の角度制御は、たとえば制御部３２２によって行うことができる。スキャナレンズ３１７は、ガルバノミラー３１６から出射された参照光を光情報記録媒体３１８へ出射する。
【００５１】
光情報記録媒体３１８には、たとえば、ニオブ酸リチウムなどのフォトリフラクティブ結晶や、感光性樹脂材料（フォトポリマ）など、各種の光情報記録媒体を用いることができる。また、光情報記録媒体３１８は、たとえば制御部３２２からの制御によって変位可能であってもよい。
【００５２】
情報の記録時において、光情報記録媒体３１８には、対物レンズ３１３から出射された信号光と、スキャナレンズ３１７から出射された参照光と、が互いに重ねあうように入射する。これにより、光情報記録媒体３１８に干渉縞パターンが形成され、光情報記録媒体３１８は形成された干渉縞パターンをホログラムとして記録する。また、ガルバノミラー３１６の角度制御により、光情報記録媒体３１８に対する参照光の入射角度を変化させることで角度多重記録を行うことができる。本実施の形態では、このホログラムを「ページ」と呼び、ページが角度多重化されている記録領域のことを「ブック」と呼ぶ。
【００５３】
情報の再生時において、光情報記録媒体３１８には、スキャナレンズ３１７から出射された参照光が入射する。１／４波長板３１９は、スキャナレンズ３１７から出射され光情報記録媒体３１８を透過した参照光を通過させてガルバノミラー３２０へ出射する。
【００５４】
ガルバノミラー３２０は、１／４波長板３１９から出射された参照光を可変の角度で反射させる。ガルバノミラー３２０の角度制御は、たとえば制御部３２２によって行うことができる。このとき、ガルバノミラー３２０の角度制御がガルバノミラー３１６の角度制御と連動して行われることで、ガルバノミラー３２０において参照光が略垂直に反射し、参照光が１／４波長板３１９へ折り返される。
【００５５】
したがって、スキャナレンズ３１７から出射され光情報記録媒体３１８を透過した参照光は、１／４波長板３１９を２回通過することによってＳ偏光からＰ偏光に変換され、光情報記録媒体３１８へ出射される。これにより、光情報記録媒体３１８に記録された情報に応じた再生光がＰ偏光の回折光として対物レンズ３１３へ出射される。
【００５６】
光情報記録媒体３１８から対物レンズ３１３へ出射された再生光は、対物レンズ３１３およびリレーレンズ３１１を介してＰＢＳプリズム３０９へ出射される。このとき、リレーレンズ３１１の間の空間フィルタ３１２の開口部によって、再生対象ブックからの回折光である再生光のみがＰＢＳプリズム３０９へ透過する。
【００５７】
ＰＢＳプリズム３０９は、リレーレンズ３１１から出射されたＰ偏光の再生光を透過させて撮像素子３２１へ出射する。
【００５８】
撮像素子３２１は、ＰＢＳプリズム３０９から出射された再生光を電気信号に変換する。これにより、光情報記録媒体３１８に記録された情報を示す電気信号が得られる。撮像素子３２１は、変換した電気信号を出力する。撮像素子３２１から出力された電気信号は、たとえば記録装置３００の外部へ出力される。撮像素子３２１には、たとえばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：相補型金属酸化膜半導体）などの固体撮像素子を用いることができる。
【００５９】
制御部３２２は、光情報記録媒体３１８への情報の記録時や光情報記録媒体３１８からの情報の再生時において、ＬＣＯＳ３１０や偏光可変素子３０３などの制御を行う。
【００６０】
たとえば、制御部３２２は、光情報記録媒体３１８への情報の記録時に、記録対象の情報（変調情報）を示す駆動波形をＬＣＯＳ３１０へ供給（書き込み）するとともに、ＰＢＳプリズム３０４から信号光および参照光が出射されるように、偏光可変素子３０３に駆動波形を供給する。ただし、制御部３２２は、光情報記録媒体３１８に対する情報の記録時であっても、ＬＣＯＳ３１０に対する情報の書き込み時には、ＰＢＳプリズム３０４から信号光が出射されないように、偏光可変素子３０３に駆動波形を供給する。
【００６１】
また、制御部３２２は、光情報記録媒体３１８からの情報の再生時に、ＰＢＳプリズム３０４から参照光のみが出射されるように、偏光可変素子３０３に駆動波形を供給する。
【００６２】
また、制御部３２２は、光情報記録媒体３１８への情報の記録時に、ガルバノミラー３１６の角度制御を行うことで、記録対象のブックなどを制御する。また、制御部３２２は、光情報記録媒体３１８からの情報の再生時に、ガルバノミラー３１６，３２０の角度制御を行うことで、再生対象のブックなどを制御する。なお、図３においては、制御部３２２とガルバノミラー３１６，３２０との接続関係は図示を省略している。また、制御部３２２は、対物レンズ３１３に対する光情報記録媒体３１８の位置を変化させることによって、記録対象のブックの移動を行ってもよい。
【００６３】
図１に示した表示装置１００は、たとえば記録装置３００のＬＣＯＳ３１０に適用することができる。この場合に、図１に示したデータバスＩ／Ｏ１１１は、たとえば、制御部３２２からＬＣＯＳ３１０へ出力された記録対象の情報（変調情報）を、上述したＮビットのデータとして出力する。また、図１に示した表示装置１００の表示画面（たとえば図２に示した表示画面２００）は、表示した画像（信号光）をＰＢＳプリズム３０９へ出射する。記録装置３００に表示装置１００を適用することで、たとえば図１に示した簡単な構成によって、ＬＣＯＳ３１０におけるカラムずれを検出することが可能になる。ＬＣＯＳ３１０におけるカラムずれは、たとえば光情報記録媒体３１８に対するデータの書き込みの誤りの要因となる。
【００６４】
このように、実施の形態１にかかる表示装置１００によれば、特定のカラムに表示させるためのデータが出力されるタイミングにおいてのみ第１の値となる確認ビットを生成し、特定のカラムをデータの書き込み先とする場合にのみ確認ビットが冗長レジスタ１５１に書き込まれる状態とすることで、回路規模の増加を抑えつつカラムずれを検出することができる。このため、表示装置１００の設計開発の容易化や、表示装置１００の運用時における監視などの管理の容易化を図ることができる。
【００６５】
なお、カラムずれの検出について説明したが、上述した表示装置１００においてカラムとロウを入れ替えればロウずれの検出も可能になる。カラムずれとロウずれの両方を検出する構成については後述する（たとえば図６参照）。
【００６６】
（実施の形態２）
実施の形態２について、実施の形態１と異なる部分について説明する。実施の形態２においては、カラムずれの検出結果に基づいて、発生したカラムずれを自動的に解消する構成について説明する。
【００６７】
（実施の形態２にかかる表示装置）
図４は、実施の形態２にかかる表示装置の一例を示す図である。図４において、図１に示した部分と同様の部分については同一の符号を付して説明を省略する。図４に示すように、実施の形態２にかかる表示装置１００は、図１に示した確認用Ｉ／Ｏ１７０に代えてカラムずれ判定回路４１０を備える。
【００６８】
カラムずれ判定回路４１０は、図１に示した確認用Ｉ／Ｏ１７０と同様に、冗長レジスタ１５１に書き込まれた値に基づいてカラムずれを検出する検出部である。さらに、カラムずれ判定回路４１０は、カラムずれの検出結果をカラム制御回路１６０へ出力する。
【００６９】
カラム制御回路１６０は、表示画面の各カラムのうちの第１出力部１１０から出力されるデータの書き込み先のカラムを切り替えるタイミング（以下、単に書き込み先カラムの切り替えタイミングと称する。）を、カラムずれ判定回路４１０から出力されたカラムずれの検出結果に基づいて制御する制御部である。
【００７０】
たとえば、カラム制御回路１６０は、カラムずれ判定回路４１０によってカラムずれが検出された場合に、書き込み先カラムの切り替えタイミングを、カラムずれ判定回路４１０によってカラムずれが検出されなくなるまで変化させる。これにより、カラムずれが発生した場合に、発生したカラムずれを自動的に解消することができる。
【００７１】
たとえば、カラム制御回路１６０によるデータの書き込み先の切り替えが、表示装置１００における動作クロックの周期で行われるとする。この場合は、カラム制御回路１６０は、表示装置１００における動作クロックの周期の長さを１単位として、書き込み先カラムの切り替えタイミングを変化させる。
【００７２】
カラム制御回路１６０による書き込み先カラムの切り替えタイミングの変化方向は、書き込み先カラムの切り替えタイミングを早める方向、書き込み先カラムの切り替えタイミングを遅らせる方向、またはこれらの組み合わせとすることができる。一例としては、カラム制御回路１６０は、まず書き込み先カラムの切り替えタイミングを１単位だけ遅らせ、つぎに書き込み先カラムの切り替えタイミングを２単位だけ早め、つぎに、書き込み先カラムの切り替えタイミングを３単位だけ遅らせ、つぎに書き込み先カラムの切り替えタイミングを４単位だけ早め、…のように変化方向を交互に切り替えてもよい。
【００７３】
また、カラムずれ判定回路４１０によるカラムずれの検出結果に基づいてカラム制御回路１６０による書き込み先カラムの切り替えタイミングを制御する場合について説明したが、このような構成に限らない。たとえば、カラムずれ判定回路４１０によるカラムずれの検出結果に基づいて、第１出力部１１０がレジスタ１３１〜１３３，…へデータを出力するタイミングを制御してもよい。
【００７４】
この場合は、第１出力部１１０に、レジスタ１３１〜１３３，…へデータを出力するタイミングを制御するタイミング制御部（たとえば遅延回路）を設ける。このタイミング制御部によるデータの出力のタイミングの制御方法は、上述したカラム制御回路１６０による書き込み先カラムの切り替えタイミングの制御方法と同様である。この場合は、第２出力部１２０が冗長レジスタ１５１へ値を出力するタイミングも、第１出力部１１０がデータを出力するタイミングに合うように調整される。
【００７５】
このようなタイミング制御部によるデータの出力のタイミングの制御によっても、カラムずれが発生した場合に、発生したカラムずれを自動的に解消することができる。また、カラムずれ判定回路４１０によるカラムずれの検出結果に基づいて、このタイミング制御部によるデータの出力のタイミングの制御と、カラム制御回路１６０による書き込み先カラムの切り替えタイミングの制御と、の両方を行う構成としてもよい。
【００７６】
このように、実施の形態２にかかる表示装置１００によれば、カラムずれ判定回路４１０によるカラムずれの検出結果に基づいて、カラム制御回路１６０における書き込み先カラムの切り替えタイミングと、第１出力部１１０がデータを出力するタイミングと、の少なくともいずれかを制御することができる。これにより、カラムずれが発生した場合に、発生したカラムずれを自動的に解消することができる。このため、表示装置１００の設計開発の容易化や、表示装置１００の運用時における表示品質の向上を図ることができる。
【００７７】
（実施の形態３）
実施の形態３について、実施の形態２と異なる部分について説明する。実施の形態３においては、複数のカラムに対応する複数の冗長レジスタを用いることにより、カラムずれの量や方向を検出する構成について説明する。
【００７８】
（実施の形態３にかかる表示装置）
図５は、実施の形態３にかかる表示装置の一例を示す図である。図５において、図４に示した部分と同様の部分については同一の符号を付して説明を省略する。図５に示すように、実施の形態３にかかる表示装置１００は、図４に示した構成に加えて冗長レジスタ５５２〜５５４を備える。
【００７９】
冗長レジスタ１５１，５５２〜５５４は、それぞれレジスタ１３１〜１３４すなわち第１〜第４カラムに対応する。第２出力部１２０から出力される値（第１の値または第２の値）は、冗長レジスタ１５１，５５２〜５５４のそれぞれへ出力される。
【００８０】
カラム制御回路１６０は、冗長レジスタ１５１，５５２〜５５４のうちの、現在のデータの書き込み先のカラムに対応する冗長レジスタに第２出力部１２０から出力された値が書き込まれ、現在の書き込み先でないカラムに対応する冗長レジスタに第２出力部１２０から出力された値が書き込まれない状態とする。
【００８１】
実施の形態３にかかるカラム制御回路１６０の動作例について説明する。たとえば、カラム制御回路１６０は、第１出力部１１０からのデータの書き込み先を第１カラムとするタイミングにおいては、冗長レジスタ１５１およびレジスタ１３１を書き込み可能な状態にし、冗長レジスタ５５２〜５５４およびレジスタ１３２〜１３４を書き込み不可な状態にする。また、カラム制御回路１６０は、第１出力部１１０からのデータの書き込み先を第２カラムとするタイミングにおいては、冗長レジスタ５５２およびレジスタ１３２を書き込み可能な状態にし、冗長レジスタ１５１，５５３，５５４およびレジスタ１３１，１３３，１３４を書き込み不可な状態にする。
【００８２】
また、カラム制御回路１６０は、第１出力部１１０からのデータの書き込み先を第３カラムとするタイミングにおいては、冗長レジスタ５５３およびレジスタ１３３を書き込み可能な状態にし、冗長レジスタ１５１，５５２，５５４およびレジスタ１３１，１３２，１３４を書き込み不可な状態にする。また、カラム制御回路１６０は、第１出力部１１０からのデータの書き込み先を第４カラムとするタイミングにおいては、冗長レジスタ５５４およびレジスタ１３４を書き込み可能な状態にし、冗長レジスタ１５１，５５２，５５３およびレジスタ１３１〜１３３を書き込み不可な状態にする。
【００８３】
カラムずれ判定回路４１０は、冗長レジスタ１５１，５５２〜５５４に書き込まれた値に基づいて、カラムずれの量を検出する。また、カラムずれ判定回路４１０は、冗長レジスタ１５１，５５２〜５５４に書き込まれた値に基づいて、さらにカラムずれの方向を検出してもよい。
【００８４】
たとえば、カラムずれ判定回路４１０は、冗長レジスタ１５１から冗長レジスタ５５２〜５５４へと順次書き込まれた値がそれぞれ“１”、“０”、“０”、“０”である場合は、第１出力部１１０から出力されたデータを書き込むべきカラムと、第１出力部１１０から出力されたデータが実際に書き込まれるカラムと、が一致している、すなわちカラムずれが発生していないと判定することができる。この場合は、カラム制御回路１６０は、書き込み先カラムの切り替えタイミングを変化させない。
【００８５】
また、カラムずれ判定回路４１０は、冗長レジスタ１５１から冗長レジスタ５５２〜５５４へと順次書き込まれた値がそれぞれ“０”、“１”、“０”、“０”である場合は、第１出力部１１０から出力されたデータを書き込むべきカラムに対して、第１出力部１１０から出力されたデータが実際に書き込まれるカラムが１カラム分ずれている（遅い）と判定することができる。この場合は、カラム制御回路１６０は、書き込み先カラムの切り替えタイミングを１単位だけ遅らせる。これにより、カラムずれを解消することができる。
【００８６】
また、カラムずれ判定回路４１０は、冗長レジスタ１５１から冗長レジスタ５５２〜５５４へと順次書き込まれた値がそれぞれ“０”、“０”、“１”、“０”である場合は、第１出力部１１０から出力されたデータを書き込むべきカラムに対して、第１出力部１１０から出力されたデータが実際に書き込まれるカラムが２カラム分ずれている（遅い）と判定することができる。この場合は、カラム制御回路１６０は、書き込み先カラムの切り替えタイミングを２単位だけ遅らせる。これにより、カラムずれを解消することができる。
【００８７】
また、カラムずれ判定回路４１０は、冗長レジスタ１５１から冗長レジスタ５５２〜５５４へと順次書き込まれた値がそれぞれ“０”、“０”、“０”、“１”である場合は、第１出力部１１０から出力されたデータを書き込むべきカラムに対して、第１出力部１１０から出力されたデータが実際に書き込まれるカラムが３カラム分ずれている（遅い）と判定することができる。この場合は、カラム制御回路１６０は、書き込み先カラムの切り替えタイミングを３単位だけ遅らせる。これにより、カラムずれを解消することができる。
【００８８】
図５に示す例では、第１〜第４カラムに対応する冗長レジスタ１５１，５５２〜５５４を設ける構成について説明したが、さらに、第５以降のカラムに対応する冗長レジスタを設ける構成としてもよい。これにより、４カラム分以上のカラムずれ量を検出することが可能になる。
【００８９】
また、たとえば、冗長レジスタ１５１，５５２〜５５４のうち冗長レジスタ５５４を省いた構成としてもよい。この場合も、２カラム分までのカラムずれ量を検出することが可能になる。また、冗長レジスタ１５１，５５２〜５５４のうち冗長レジスタ５５３，５５４を省いた構成としてもよい。この場合も、１カラム分までのカラムずれ量を検出することが可能になる。
【００９０】
また、特定のカラムを第１カラムとする場合について説明したが、特定のカラムを第２以降のカラムとしてもよい。たとえば、特定のカラムを第２カラムとする。この場合は、カラムずれ判定回路４１０は、冗長レジスタ１５１から冗長レジスタ５５２〜５５４へと順次書き込まれた値がそれぞれ“０”、“１”、“０”、“０”である場合は、カラムずれが発生していないと判定することができる。この場合は、カラム制御回路１６０は、書き込み先カラムの切り替えタイミングを変化させない。
【００９１】
また、カラムずれ判定回路４１０は、冗長レジスタ１５１から冗長レジスタ５５２〜５５４へと順次書き込まれた値がそれぞれ“１”、“０”、“０”、“０”である場合は、第１出力部１１０から出力されたデータを書き込むべきカラムに対して、第１出力部１１０から出力されたデータが実際に書き込まれるカラムが１カラム分ずれている（早い）と判定することができる。この場合は、カラム制御回路１６０は、書き込み先カラムの切り替えタイミングを１単位だけ早める。これにより、カラムずれを解消することができる。
【００９２】
図５に示す例においては、レジスタ１３１〜１３４および冗長レジスタ１５１，５５２〜５５４を１個ずつ交互に配置する構成について図示しているが、レジスタ１３１〜１３４および冗長レジスタ１５１，５５２〜５５４の配置はこれに限らず、各種の配置とすることができる。
【００９３】
このように、実施の形態３にかかる表示装置１００によれば、複数のカラムに対応する複数の冗長レジスタ（たとえば冗長レジスタ１５１，５５２〜５５４）を用いることにより、カラムずれの量や方向を検出することが可能になる。これにより、たとえば、カラム制御回路１６０における書き込み先カラムの切り替えタイミングの制御によるカラムずれの解消を効率よく行うことができる。
【００９４】
また、図５に示す例では、カラムずれの検出結果に基づいてカラムずれを解消する制御を行う構成について説明したが、実施の形態３にかかる表示装置１００は、このような構成に限らず、たとえば、表示装置１００の設計開発者、使用者または管理者等に対して、検出したカラムずれの量や方向を通知する構成としてもよい。
【００９５】
（実施の形態４）
実施の形態４について、実施の形態３と異なる部分について説明する。実施の形態４においては、カラムずれとロウずれの両方を検出する構成について説明する。
【００９６】
（実施の形態４にかかる表示装置）
図６は、実施の形態４にかかる表示装置の一例を示す図である。図６において、図５に示した部分と同様の部分については同一の符号を付して説明を省略する。図６に示すように、実施の形態４にかかる表示装置１００は、図５に示した構成に加えて、冗長レジスタ６１２，６１３，…と、ロウ制御回路６２０と、ロウずれ判定回路６３０と、を備える。
【００９７】
表示装置１００は、表示画面の各カラム（列）に対応するレジスタ１３１〜１３４，…およびカラムドライバ１４１〜１４４，…の他に、図示しないが、表示画面の各ロウ（行）に対応する複数のレジスタおよび複数のロウドライバを備える。
【００９８】
第２出力部１２０は、第１出力部１１０からレジスタ１３１〜１３４へ表示画面における特定カラムかつ特定ロウの表示セルに表示させるためのデータが出力されるタイミングにおいて、第１の値（“１”）を冗長レジスタ１５１へ出力する。ここでは特定のカラムを第１カラム、特定のロウを第１ロウとする。この場合は、特定カラムかつ特定ロウの表示セルは、たとえば図２に示した表示画面２００の最も左上の表示セルとなる。
【００９９】
また、第２出力部１２０は、第１出力部１１０からレジスタ１３１〜１３４へ表示画面の特定カラムかつ特定ロウの表示セルと異なる表示セルに表示させるためのデータが出力されるタイミングにおいて、第２の値（“０”）を冗長レジスタ１５１へ出力する。
【０１００】
冗長レジスタ１５１，６１２，６１３は、それぞれ表示画面の第１〜第３ロウ（行）に対応して設けられた１ビットのレジスタである。たとえば、カラム制御回路１６０およびロウ制御回路６２０の両方によって冗長レジスタ１５１が書き込み可能な状態に設定されると、第２出力部１２０から出力されたデータが冗長レジスタ１５１に書き込まれる。また、カラム制御回路１６０およびロウ制御回路６２０の少なくともいずれかによって冗長レジスタ１５１が書き込み不可な状態に設定されると、第２出力部１２０から出力されたデータが冗長レジスタ１５１に書き込まれない。
【０１０１】
また、ロウ制御回路６２０によって冗長レジスタ６１２が書き込み可能な状態に設定されると、第２出力部１２０から出力されたデータが冗長レジスタ６１２に書き込まれる。また、ロウ制御回路６２０によって冗長レジスタ６１２が書き込み不可な状態に設定されると、第２出力部１２０から出力されたデータが冗長レジスタ６１２に書き込まれない。
【０１０２】
また、ロウ制御回路６２０によって冗長レジスタ６１３が書き込み可能な状態に設定されると、第２出力部１２０から出力されたデータが冗長レジスタ６１３に書き込まれる。また、ロウ制御回路６２０によって冗長レジスタ６１３が書き込み不可な状態に設定されると、第２出力部１２０から出力されたデータが冗長レジスタ６１３に書き込まれない。
【０１０３】
ロウ制御回路６２０は、表示画面の各ロウのうちの第１出力部１１０からのデータの書き込み先のロウを順次切り替えるロウ切替部である。また、ロウ制御回路６２０は、第１出力部１１０からのデータの書き込み先のロウを第１ロウとする場合に冗長レジスタ１５１を書き込み可能な状態とする。これにより、第１出力部１１０からのデータの書き込み先を第１カラムの第１ロウとする場合に第２出力部１２０から出力された値が冗長レジスタ１５１に書き込まれる状態とすることができる。
【０１０４】
また、ロウ制御回路６２０は、第１出力部１１０からのデータの書き込み先のロウを第２ロウとする場合に冗長レジスタ６１２を書き込み可能な状態とする。これにより、第１出力部１１０からのデータの書き込み先を第２ロウとする場合に第２出力部１２０から出力された値が冗長レジスタ６１２に書き込まれる状態とすることができる。
【０１０５】
また、ロウ制御回路６２０は、第１出力部１１０からのデータの書き込み先のロウを第３ロウとする場合に冗長レジスタ６１２を書き込み可能な状態とする。これにより、第１出力部１１０からのデータの書き込み先を第３ロウとする場合に第２出力部１２０から出力された値が冗長レジスタ６１３に書き込まれる状態とすることができる。
【０１０６】
ロウずれ判定回路６３０は、冗長レジスタ１５１，６１２，６１３に書き込まれた値に基づいて、表示画面におけるロウずれを検出するロウ検出部である。たとえば、ロウずれ判定回路６３０は、冗長レジスタ１５１，６１２，６１３に書き込まれた値がそれぞれ“１”、“０”、“０”である場合は、第１出力部１１０から出力されたデータを書き込むべきロウと、第１出力部１１０から出力されたデータが実際に書き込まれるロウと、が一致している、すなわちロウずれが発生していないと判定することができる。この場合は、ロウ制御回路６２０は、第１出力部１１０からのデータの書き込み先のロウの切り替えタイミングを変化させない。
【０１０７】
また、ロウずれ判定回路６３０は、冗長レジスタ１５１，６１２，６１３に書き込まれた値がそれぞれ“０”、“１”、“０”である場合は、第１出力部１１０から出力されたデータを書き込むべきロウに対して、第１出力部１１０から出力されたデータが実際に書き込まれるロウが１ロウ分ずれている（遅い）と判定することができる。この場合は、ロウ制御回路６２０は、第１出力部１１０からのデータの書き込み先のロウの切替タイミングを１単位分（ロウの切り替え周期×１）だけ早める。これにより、ロウずれを解消することができる。
【０１０８】
また、ロウずれ判定回路６３０は、冗長レジスタ１５１，６１２，６１３に書き込まれた値がそれぞれ“０”、“０”、“１”である場合は、第１出力部１１０から出力されたデータを書き込むべきロウに対して、第１出力部１１０から出力されたデータが実際に書き込まれるロウが２ロウ分ずれている（遅い）と判定することができる。この場合は、ロウ制御回路６２０は、第１出力部１１０からのデータの書き込み先のロウの切替タイミングを２単位分（ロウの切り替え周期×２）だけ早める。これにより、ロウずれを解消することができる。
【０１０９】
このように、実施の形態４にかかる表示装置１００によれば、上述したカラムずれの検出と同様に、各カラムに対応する冗長レジスタ１５１，６１２，６１３を用いることによってロウずれを検出することができる。
【０１１０】
なお、図６に示した例では、ロウずれの検出結果に基づいてロウずれを解消する制御を行う構成について説明したが、実施の形態４にかかる表示装置１００は、このような構成に限らず、たとえば、表示装置１００の設計開発者、使用者または管理者等に対して、検出したロウずれの量や方向を通知する構成としてもよい。
【０１１１】
また、図６に示した例では、カラムずれおよびロウずれの両方を検出する構成について説明したが、実施の形態４にかかる表示装置１００は、このような構成に限らず、たとえば、ロウずれのみを検出する構成としてもよい。この場合は、たとえば冗長レジスタ５５２〜５５４を省いた構成とすることができる。
【０１１２】
また、図６に示した例では、ロウずれの量や検出する構成について説明したが、実施の形態４にかかる表示装置１００は、このような構成に限らず、たとえば、ロウずれの発生のみを検出する構成としてもよい。この場合は、たとえば冗長レジスタ６１２，６１３を省いた構成とすることができる。
【０１１３】
また、図６に示した例では、カラムずれの検出に用いる冗長レジスタ（第１レジスタ）と、ロウずれの検出に用いる冗長レジスタ（第２レジスタ）と、を冗長レジスタ１５１が兼ねる構成について説明したが、このような構成に限らない。たとえば、ロウずれの検出に用いる冗長レジスタ（第２レジスタ）を、冗長レジスタ１５１とは別に設けてもよい。
【０１１４】
（実施の形態５）
実施の形態５においては、一部の画素エリアへ書き込むべきデータとして時間的に変化しないデータを用いることで、回路規模の増加を抑えつつ、一部の画素エリアに書き込まれたデータに基づいてロウずれ等の表示ずれの検出を行う構成について説明する。
【０１１５】
（実施の形態５にかかる表示装置による画面表示）
図７は、実施の形態５にかかる表示装置による画面表示の一例を示す図である。図７に示す表示画面７００は、実施の形態５にかかる表示装置による画面表示である。図７に示す例では、表示画面は６×７のマトリクスであるが、実施の形態５にかかる表示装置による画面表示のサイズはこれに限らない。実施の形態５にかかる表示装置は、たとえば図３に示したＬＣＯＳ３１０に適用することができる。
【０１１６】
表示画面７００に含まれる画素エリア７１０（第２〜第７カラム）は、実施の形態５にかかる表示装置へ入力され時間的に変化する画像データに基づく画像を表示する画素エリアである。表示画面７００に含まれる画素エリア７２０（第１カラム）は、表示画面７００におけるカラムずれを確認するために使用される画素エリアである。
【０１１７】
実施の形態５にかかる表示装置は、たとえば、画素エリア７２０に含まれる特定の画素セル７２１が黒表示となり、画素エリア７２０に含まれる残りの画素セル７２２〜７２６が白表示となる画像データであって、時間的に変化しない画像データを用いて画素エリア７２０を駆動する。これにより、画素セル７２１が黒表示ではなく白表示となった場合はロウずれが発生していると判定することができる。また、ロウずれが発生した場合に、画素セル７２２〜７２６のうちのいずれの画素セルが黒表示になったかによって、ロウずれの量や方向を判定することができる。
【０１１８】
画素エリア７２０における表示の判定は、画素エリア７２０によって表示された画像の信号光によって検出することによって行ってもよいし、画素エリア７２０に含まれる各表示セルのレジスタに格納された表示用のデータを検出することによって行ってもよい。
【０１１９】
なお、上述した黒表示と白表示は入れ替えてもよい。また、画素エリア７２０のうちの画素セル７２１を特定の画素セルとする場合につい説明したが、画素エリア７２０のうちの画素セル７２２〜７２６のいずれかを特定の画素セルとしてもよい。また、画素エリア７２０のうちの１個の画素セルを特定の画素セルとする場合につい説明したが、画素エリア７２０のうちの複数の画素セル（ただし画素エリア７２０の一部）を特定の画素セルとしてもよい。
【０１２０】
図７に示した実施の形態５にかかる表示装置における表示ずれの検出は、たとえば実施の形態５にかかる表示装置の非運用時（たとえば設計開発時やアイドル時）に行うことができる。
【０１２１】
（実施の形態５にかかる表示装置による画面表示の他の例）
図８は、実施の形態５にかかる表示装置による画面表示の他の例を示す図である。図８に示す表示画面７００は、実施の形態５にかかる表示装置による画面表示の図７とは異なる例である。図８に示す例では、実施の形態５にかかる表示装置へ入力され時間的に変化する画像データに基づく画像を表示する画素エリア７１０を、表示画面７００に含まれる第１〜第７カラムとしている。また、図８に示す例では、実施の形態５にかかる表示装置は、画素エリア７１０の他にレプリカ画素エリア８１０を備えている。
【０１２２】
レプリカ画素エリア８１０は、画素エリア７２０に含まれる表示セルのレプリカである。ただし、レプリカ画素エリア８１０は、液晶駆動等の表示は行わず、表示用のデータを格納するレジスタなどにすることができる。また、レプリカ画素エリア８１０は、１個の画素セルであってもよいし、複数の画素セルであってもよい。
【０１２３】
実施の形態５にかかる表示装置は、レプリカ画素エリア８１０を、図７に示した画素エリア７２０と同様に用いることで、表示画面７００におけるロウずれを検出することができる。たとえば、実施の形態５にかかる表示装置は、レプリカ画素エリア８１０に含まれる特定の画素セルに黒表示のデータが格納され、レプリカ画素エリア８１０に含まれる残りの画素セルに白表示のデータが格納される画像データであって、時間的に変化しない画像データを用いてレプリカ画素エリア８１０を駆動する。
【０１２４】
また、実施の形態５にかかる表示装置は、レプリカ画素エリア８１０に格納されたデータを検出する検出部を備える。この検出部により、ロウずれの発生や、発生したロウずれの量や方向を判定することができる。
【０１２５】
このように、実施の形態５にかかる表示装置によれば、一部の画素エリア（たとえば画素エリア７２０やレプリカ画素エリア８１０）へ書き込むべきデータとして時間的に変化しないデータを用いることで、回路規模の増加を抑えつつ、一部の画素エリアに書き込まれたデータに基づいてロウずれの検出を行うことができる。また、残りの画素エリア（たとえば画素エリア７１０）へ書き込むべき画像データとして時間的に変化する画像データを用いることで、表示装置の運用時に近い状態でのロウずれの検出を行うことができる。
【０１２６】
また、図７，図８に示した例では、カラム方向の一部の画素セル（画素エリア７２０やレプリカ画素エリア８１０）を用いてロウずれを検出する構成について説明したが、ロウ方向の一部の画素セルを用いてカラムずれを検出する構成としてもよい。また、カラム方向の一部の画素セルおよびロウ方向の一部の画素セルを用いてロウずれおよびカラムずれの両方を検出する構成としてもよい。
【０１２７】
以上説明したように、表示装置によれば、回路規模の増加を抑えつつ表示ずれを検出することができる。表示ずれを検出することにより、たとえばマトリクス型の表示装置においてデータが正しい位置に書き込まれているか否かを確認することができる。
【産業上の利用可能性】
【０１２８】
以上のように、本発明にかかる表示装置は、マトリクス状の表示画面を有する表示装置に有用であり、特に、ＬＣＯＳ等の表示装置に適している。
【符号の説明】
【０１２９】
１００  表示装置
１１０  第１出力部
１１１  データバスＩ／Ｏ
１１２，１１３，１２２，１２３，１３１〜１３４，…  レジスタ
１１４  データ処理回路
１２０  第２出力部
１２１  確認ビット生成部
１４１〜１４４，…  カラムドライバ
１５１，５５２〜５５４，６１２，６１３  冗長レジスタ
１６０  カラム制御回路
１７０  確認用Ｉ／Ｏ
２００，７００  表示画面
２１１〜２１５  ロウ
２２１〜２２６  カラム
３００  記録装置
３０１  光源
３０２  コリメートレンズ
３０３  偏光可変素子
３０４，３０９  ＰＢＳプリズム
３０６  ビームエキスパンダ
３０７  位相マスク
３０８，３１１  リレーレンズ
３１０  ＬＣＯＳ
３１２  空間フィルタ
３１３  対物レンズ
３１４，３１５  ミラー
３１６，３２０  ガルバノミラー
３１７  スキャナレンズ
３１８  光情報記録媒体
３１９  １／４波長板
３２１  撮像素子
３２２  制御部
４１０  カラムずれ判定回路
６２０  ロウ制御回路
６３０  ロウずれ判定回路
７１０，７２０  画素エリア
７２１〜７２６  画素セル
８１０  レプリカ画素エリア
【図１】
0006606405.tif 000002
【図２】
0006606405.tif 000003
【図３】
0006606405.tif 000004
【図４】
0006606405.tif 000005
【図５】
0006606405.tif 000006
【図６】
0006606405.tif 000007
【図７】
0006606405.tif 000008
【図８】
0006606405.tif 000009